(57)【要約】      （修正有）【課題】組替えの自由度は小さくなるが、天板の高さを簡単に変更することができ、変更の作業中にも両脚板の連結強度を保つことができ、また照明装置を設けた場合にもその高さを変更する必要がない組替え可能な棚付き机を提供する。【解決手段】少なくとも天板１、両脚板２、パネル板３、幕板４及び棚板５とから構成し、両脚板２の内面間に天板１、幕板４及び棚板５の両側端を突き合わせて取付けるとともに、両脚板２の後端面にパネル板３の前面両側端を接合して取付ける配置とし、天板１の後端はパネル板３の前面の上下中間位置に相対的高さ関係を維持して連結し、幕板４と棚板５とは側面視Ｌ字形に連結した状態で両脚板２の後方下部に脚板２の後端から突出しないように固定し、天板１とパネル板３とを一体となして両脚板２に対して多段階に上下位置変更可能に取付けた。【選択図】図１
2007289354.tif 000002
【特許請求の範囲】
【請求項１】
少なくとも天板、両脚板、パネル板、幕板及び棚板とから構成し、両脚板の内面間に前記天板、幕板及び棚板の両側端を突き合わせて取付けるとともに、両脚板の後端面に前記パネル板の前面両側端を接合して取付ける配置とし、前記天板の後端は前記パネル板の前面の上下中間位置に相対的高さ関係を維持して連結し、前記幕板と棚板とは側面視Ｌ字形に連結した状態で両脚板の後方下部に該脚板の後端から突出しないように固定し、前記天板とパネル板とを一体となして前記両脚板に対して多段階に上下位置変更可能に取付けたことを特徴とする組替え可能な棚付き机。
【請求項２】
前記脚板の前後に上下方向に一定間隔毎に取付孔を形成するとともに、前記パネル板の両側縁に前記取付孔と同一間隔で通孔を形成し、前記取付孔に通したネジを前記天板又は天板の下面に固定した側面板に設けた螺孔に螺合するとともに、前記パネル板の通孔に通したネジを前記脚板の後端面に設けた螺孔に螺合してなる請求項１記載の組替え可能な棚付き机。
【請求項３】
前記パネル板には、前記天板より上方位置に横長のスリット孔を上下方向に一定間隔で多段に形成し、該スリット孔に本立て様の収納棚体の背面に設けた係止具を着脱可能に係止して位置変更可能に設けてなる請求項１又は２記載の組替え可能な棚付き机。
【請求項４】
前記パネル板の背面に照明装置の支柱を取付け、該パネル板より上方に位置した支柱の上端から前方へ首振り可能にアームを設け、該アームの前端に照明具を角度変更可能に保持してなる請求項１〜３何れかに記載の組替え可能な棚付き机。
【請求項５】
前記両脚板間に収容するワゴンの上部に、前記天板の高さに応じて着脱するボックストレーを設けてなる請求項１〜３何れかに記載の組替え可能な棚付き机。
【発明の詳細な説明】
【技術分野】
【０００１】
本発明は、組替え可能な棚付き机に係わり、更に詳しくは天板の高さや棚の配置を変更することができる学習机として適した組替え可能な棚付き机に関するものである。
【背景技術】
【０００２】
従来から、天板、脚板、幕板、書棚等を、使用者の体格や好みに応じて所望の態様に変更可能な棚付き机は各種提供されている。例えば、特許文献１には、天板、両脚板、幕板及び単又は複数の棚板とで構成し、両脚板間に天板を前後及び上下位置変更可能に取付けるとともに、両脚板の後端間に前記幕板を上下位置変更可能に取付け、更に前記棚板を両脚板間の後部に上下位置変更可能に取付けた組替えデスクが開示されている。
【０００３】
前述の特許文献１に記載の組替えデスクは、両脚板の内面間に天板、幕板及び棚板を上下位置変更可能に取付け、更に天板は前後にも位置変更可能となした構造であり、組替えの自由度が大きいといった特徴を有している。しかし、強度を保つために、前記棚板の後端は幕板の前面にも連結しているため、態様を変更する場合には、全ての構成部材を分解しなければならないので手間がかかる。また、天板又は幕板のみを位置変更するだけであれば、その部材のみのネジを外して付け替えればよいので、変更作業中の両脚板の連結強度は保たれるが、天板と幕板を同時に高さを変更する場合には、一度に脚板間から取外すと両脚板間の連結強度は保たれない。そのため、手間はかかるが、天板を付け替えた後に、幕板の付け替えを行うといった作業が望ましい。何れにしても、天板や幕板の位置決めには、ネジの取付孔と螺孔の位置を合わせるしかなく、非常に難しい作業となる。
【０００４】
ところで、照明装置を設ける場合、前記幕板の背面に照明装置の支柱を取付け、該幕板より上方に位置した支柱の上端から前方へ首振り可能にアームを設け、該アームの前端に照明具を角度変更可能に保持する構成を取るが、幕板と天板の相対高さが変化する場合には、照明装置の高さも変更しなければならなくなる。
【特許文献１】特開２００５−１２４９５７号公報
【発明の開示】
【発明が解決しようとする課題】
【０００５】
そこで、本発明が前述の状況に鑑み、解決しようとするところは、組替えの自由度は小さくなるが、天板の高さを簡単に変更することができるとともに、変更の作業中にも両脚板の連結強度を保つことができ、また照明装置を設けた場合にもその高さを変更する必要がない組替え可能な棚付き机を提供する点にある。
【課題を解決するための手段】
【０００６】
本発明は、前述の課題解決のために、少なくとも天板、両脚板、パネル板、幕板及び棚板とから構成し、両脚板の内面間に前記天板、幕板及び棚板の両側端を突き合わせて取付けるとともに、両脚板の後端面に前記パネル板の前面両側端を接合して取付ける配置とし、前記天板の後端は前記パネル板の前面の上下中間位置に相対的高さ関係を維持して連結し、前記幕板と棚板とは側面視Ｌ字形に連結した状態で両脚板の後方下部に該脚板の後端から突出しないように固定し、前記天板とパネル板とを一体となして前記両脚板に対して多段階に上下位置変更可能に取付けてなる組替え可能な棚付き机を構成した（請求項１）。
【０００７】
ここで、前記脚板の前後に上下方向に一定間隔毎に取付孔を形成するとともに、前記パネル板の両側縁に前記取付孔と同一間隔で通孔を形成し、前記取付孔に通したネジを前記天板又は天板の下面に固定した側面板に設けた螺孔に螺合するとともに、前記パネル板の通孔に通したネジを前記脚板の後端面に設けた螺孔に螺合してなるのである（請求項２）。
【０００８】
また、前記パネル板には、前記天板より上方位置に横長のスリット孔を上下方向に一定間隔で多段に形成し、該スリット孔に本立て様の収納棚体の背面に設けた係止具を着脱可能に係止して位置変更可能に設けてなることが好ましい（請求項３）。
【０００９】
そして、前記パネル板の背面に照明装置の支柱を取付け、該パネル板より上方に位置した支柱の上端から前方へ首振り可能にアームを設け、該アームの前端に照明具を角度変更可能に保持してなることがより好ましい（請求項４）。
【００１０】
さらに、前記両脚板間に収容するワゴンの上部に、前記天板の高さに応じて着脱するボックストレーを設けてなることも好ましい（請求項５）。
【発明の効果】
【００１１】
以上にしてなる請求項１に係る発明の組替え可能な棚付き机は、天板の後端をパネル板の前面の上下中間位置に相対的高さ関係を維持して連結した状態で、両脚板の内面間に天板の両側端を突き合わせて取付けるとともに、両脚板の後端面に前記パネル板の前面両側端を接合して取付けるので、位置決めを容易にでき、上下位置の付け替えが容易であるばかりでなく、天板とパネル板との相対的な高さ関係が変化しないので、パネル板に照明装置を取付けた場合でもその高さを変更する必要がないのである。また、前記幕板と棚板とは側面視Ｌ字形に連結した状態で両脚板の後方下部に該脚板の後端から突出しないように固定しているので、前記天板とパネル板を両脚板から取外しても両脚板の連結強度を保つことができ、更にパネル板は両脚板の後端面に取付けるので、天板及びパネル板の高さを変更しても前記幕板及び棚板とは干渉しないのである。
【００１２】
請求項２によれば、脚板の取付孔とパネル板の通孔を選択して、それに通したネジを天板又は天板の下面に固定した側面板に設けた螺孔と、脚板の後端面に設けた螺孔に螺合するだけで、天板及びパネル板を両脚板に対して多段階に上下位置変更可能に取付けることができ、しかも天板とパネル板を直交するニ方向からネジ止めするので、構造的に強固である。
【００１３】
請求項３によれば、天板より上方位置のパネル板に、本立て様の収納棚体を位置変更可能に設けることができ、しかもパネル板に形成した横長のスリット孔に本立て様の収納棚体の背面に設けた係止具を着脱可能に係止する構造であるので取付位置の変更可能も容易である。
【００１４】
請求項４によれば、パネル板の背面に照明装置の支柱を取付け、該パネル板より上方に位置した支柱の上端から前方へ首振り可能にアームを設け、該アームの前端に照明具を角度変更可能に保持してなるので、照明装置を設けてもパネル板前面側の収納スペースを狭めることがなく、また天板の高さを変更しても照明具と天板の相対的高さを一定に維することができる。
【００１５】
請求項５によれば、天板の高さが高い態様では、ワゴンの上部にボックストレーを設けた状態で両脚板間に収容し、また天板の高さが低い態様では、ボックストレーを取り除いた状態で両脚板間に収容し、袖引出し付きの机として利用することができる。
【発明を実施するための最良の形態】
【００１６】
次に、添付図面に示した実施形態に基づき、本発明を更に詳細に説明する。図１〜図３は、本発明に係る組替え可能な棚付き机で、天板が高い態様を示し、図４及び図５は本立て様の収納棚体とワゴンを分離した状態を示し、図６及び図７は天板が低い態様を示し、図中符号１は天板、２は脚板、３はパネル板、４は幕板、５は棚板、６は収納棚体、７は照明装置、８はワゴンをそれぞれ示している。
【００１７】
本発明に係る組替え可能な棚付き机は、木製であり、少なくとも天板１、両脚板２，２、パネル板３、幕板４及び棚板５とから構成し、両脚板２，２の内面間に前記天板１、幕板４及び棚板５の両側端を突合せて取付けるとともに、両脚板２，２の後端面に前記パネル板３の前面両側端を接合して取付ける配置とし、前記天板１の後端は前記パネル板３の前面の上下中間位置に相対的高さ関係を維持して連結し、前記幕板４と棚板５とは側面視Ｌ字形に連結した状態で両脚板２，２の後方下部に該脚板２の後端から突出しないように固定し、前記天板１とパネル板３とを一体となして前記両脚板２，２に対して多段階に上下位置変更可能に取付けたものである。
【００１８】
更に詳しくは、前記天板１は、図２及び図３に示すように、下面の両側縁に側面板９，９を垂下固定するとともに、両側面板９，９の下端間に補強板１０を架設してボックス体を形成し、該ボックス体の内部に引出し１１を引き出し可能に収容している。
【００１９】
前記脚板２は、平角材からなる上化粧材１２、前化粧材１３及び接地材１４を側面視コ字形に連結するとともに、上化粧材１２と接地材１４の前後部間に前板１５と後板１６を隙間を設けて連結した構造を有している。
【００２０】
前記パネル板３は、正面視長方形の化粧板１７の両側端に、前記上化粧材１２と同一横幅の縁部材１８，１８を固定したものであり、前記化粧板１７の上下中間位置に前記天板１の後端を突き合わせた状態で側面視倒Ｔ字形に固定して一体化している。尚、前記天板１とパネル板３は両脚板２，２へ取付ける際に連結してもよい。また、前記パネル板３の化粧板１７には、前記天板１より上方位置に横長のスリット孔１９，…を上下方向に一定間隔で多段に形成している。ここで、本実施形態では、スリット孔１９は、左右に２列で上下３段に形成している。
【００２１】
前記スリット孔１９には、本立て様の収納棚体６の背面に設けた係止具２０を用いて着脱可能に係止することができるようになっている。また、前記脚板２の上化粧材１２と、前記パネル板３の縁部材１８の横幅を同一にしたことにより、縁部材１８から上化粧材１２、前化粧材１３、接地材１４へ連続した枠構造が形成されるので、意匠的な統一感を出すことができる。
【００２２】
そして、図３に示すように、前記両脚板２，２の後方下部には、前記幕板４と棚板５とを側面視Ｌ字形に連結した状態で両脚板２，２の後端から突出しないように固定している。つまり、前記幕板４の両端を両脚板２，２の後板１６，１６の後縁に沿って固定するとともに、該幕板４の下縁前面に直角に連結した前記棚板５の両端を両脚板２，２の後板１６，１６の内面間に固定している。
【００２３】
前記天板１とパネル板３を両脚板２，２に取付ける構造は、通常の貫通孔と螺孔を用いたネジ止め構造としている。つまり、前記脚板２の前後に上下方向に一定間隔毎に取付孔２１，…を形成するとともに、前記パネル板３の両側縁に前記取付孔２１と同一間隔で通孔２２，…を形成し、前記取付孔２１に通したネジ２３を前記天板１の下面に固定した側面板９に設けた螺孔２４に螺合するとともに、前記パネル板３の通孔２２に通したネジ２５を前記脚板２の後端面に設けた螺孔２６に螺合して取付ける。尚、前記螺孔２４、螺孔２６は、オニメナットを所定位置に埋設することによって設ける。ここで、前列の前記取付孔２１，…は前板１５に形成し、後列の取付孔２１，…は後板１６に形成している。
【００２４】
前記両脚板２，２は、前記幕板４と棚板５とで互いに連結されているので、前記天板１とパネル板３を取外してもその連結強度は保たれている。そして、前記天板１とパネル板３を高さを調節して両脚板２，２に取付けるには、天板１の両端を両脚板２，２間に嵌挿するとともに、パネル板３の前面両側端を両脚板２，２の後端面に接合し、その状態で上下に微調節して取付孔２１と螺孔２４、通孔２２と螺孔２６の位置を合わせ、それからネジ２３、ネジ２５をそれぞれ螺合するのである。尚、一方の上下位置を合わせれば他方は略正確に自動的に位置が合うので位置決め作業は簡単である。また、前記ネジ２３，２５を挿通する脚板２の取付孔２１とパネル板３の通孔２２を選択することで、天板１及びパネル板３の高さを脚板２に対して多段階に上下位置変更可能に取付けることができる。図１は、天板１が最も高い態様であり、図６は天板１が最も低い態様である。
【００２５】
また、前記収納棚体６は、両側板２７，２７間に載置板２８を連結し、後端に背板２９を設け、適宜仕切板３０を横位置変更可能となして前記背板２９に着脱可能に取付けた構造であり、通常の本立てと基本的な構造は同じである。そして、前記載置板２８の下面側で両側板２７，２７の間に引出し３１を適宜設ける。図示した実施形態では、右側の収納棚体６のみに引出し３１を設けている。そして、前記背板２９には、フックからなる係止具２０を突設し、該係止具２０を前記パネル板３のスリット孔１９に係止して取付ける。従って、前記収納棚体６の取付ける位置は、上下に変更可能である。
【００２６】
また、本実施形態では、図３及び図７に示すように、前記幕板４の近傍に補助棚板３２をピンダボ３３，３３にて着脱可能に設けている。この補助棚板３２は、前記棚板５の上方で平行な位置と、前記棚板５の前方で面一となる位置に付け替え可能である。
【００２７】
また、本実施形態では、前記パネル板３に照明装置７を取付けている。前記照明装置７は、前記パネル板３の背面に取付ける支柱３４と、該パネル板３より上方に位置した支柱３４の上端から前方へ首振り可能にアーム３５を設け、該アーム３５の前端に照明具３６を角度変更可能に保持したものである。従って、前記天板１の高さを変更する場合、前記パネル板３も同時に高さを変更するので、前記照明装置７のパネル板３への取付位置を変えなくても、前記天板１に対する照明具３６の高さは常に一定に保つことができる。尚、前記パネル板３に対する天板１の連結する位置の高さを変更できるようにすることも可能である。その場合には、前記パネル板３に対する照明装置７の支柱３４の取付高さを調節する必要が生じるが、前記支柱３４を保持具（図示せず）でパネル板３の背面に上下スライド調節可能に取付けるようにしておけば、さほど手間をかけずに照明具３６の高さを調節できるので、使用者の体格に応じたきめ細かな調節が可能となる。
【００２８】
そして、図１及び図６に示すように、前記天板１の下方で両脚板２，２間にワゴン８を収容し、袖引出しとして使用することができるようになっている。更に詳しくは、図５に示すように、前記ワゴン８には、本体部３７に引出し３８を有し、本体部３７の上部には、前記天板１の高さに応じて着脱するボックストレー３９を設けている。前記本体部３７の上部は、周壁と底面を有する浅いトレー４０を一体的に設け、前記ボックストレー３９は、底面の前後部に突設した規制板４２，４２が前記トレー４０内に嵌合することで、位置決め状態で載置されている。
【００２９】
図１のように天板１が高い態様では、上部にボックストレー３９を載置したワゴン８を天板１の下方に収容し、また図６のように天板１が低い態様では、ボックストレー３９を取り去ったワゴン８を天板１の下方に収容して使用する。また、図７に示すように、天板１を最も低い態様にした場合で、該天板１とともに最も低い位置にパネル板３が下がっても、前記幕板４や棚板５に干渉されないのである。
【００３０】
このように、本発明では、天板１とパネル板３を一体化した状態で、両脚板２，２に対して高さを変更することにより、体格の大きな者から体格の小さな者まで、使用者の体格に合わせて最も使用し易い態様にすることができる。特に、学習机として用いると、子供の成長に応じて天板１の高さを徐々に高くすることができるのである。
【図面の簡単な説明】
【００３１】
【図１】本発明に係る組替え可能な棚付き机の最も天板が高い態様を示す斜視図である。
【図２】同じくワゴンを省略した正面図である。
【図３】同じくワゴンを省略した断面図である。
【図４】収納棚体とワゴンを分離した状態の説明用斜視図である。
【図５】ワゴンを示し、（ａ）はボックストレーを本体部から分離した状態の斜視図、（ｂ）はボックストレーを本体部に載置した状態の斜視図である。
【図６】本発明に係る組替え可能な棚付き机の最も天板が低い態様を示す斜視図である。
【図７】同じくワゴンを省略した断面図である。
【符号の説明】
【００３２】
１  天板、              ２  脚板
３  パネル板、          ４  幕板
５  棚板、              ６  収納棚体
７  照明装置、          ８  ワゴン
９  側面板、            １０  補強板
１１  引出し、          １２  上化粧材
１３  前化粧材、        １４  接地材
１５  前板、            １６  後板
１７  化粧板、          １８  縁部材
１９  スリット孔、      ２０  係止具
２１  取付孔、          ２２  通孔
２３  ネジ、            ２４  螺孔
２５  ネジ、            ２６  螺孔
２７  側板、            ２８  載置板
２９  背板、            ３０  仕切板
３２  補助棚板、        ３３  ピンダボ
３４  支柱、            ３５  アーム
３６  照明具、          ３７  本体部
３９  ボックストレー、  ４０  トレー
４１  引出し、          ４２  規制板
【図１】
2007289354.tif 000003
【図２】
2007289354.tif 000004
【図３】
2007289354.tif 000005
【図４】
2007289354.tif 000006
【図５】
2007289354.tif 000007
【図６】
2007289354.tif 000008
【図７】
2007289354.tif 000009